(57)【要約】【課題】メンテナンス作業が容易であるとともに、フィルターにゴミが詰まりにくく、メンテナンス期間を比較的長く設定することのできる、メンテナンス性に優れた雨水取り出し装置を提供すること。【解決手段】雨水排水部７の底部から雨水排水流路内に上方に突出して配設され、接続部５に連通する内筒部９の外形形状に対応した平面形状を有する開口１３が上下に貫通して形成され、雨水排水部の内周面形状に対応する外形形状を有するフィルター１２が、雨水排水部の内側面と内筒部の外側面との間に着脱自在に充填されて内装され、内装されたフィルターの上端は、内筒部上端および雨水取り出し部８の雨水排水部との連設部上端より上位に位置している。【選択図】図１
2009127369.tif 000002
【特許請求の範囲】
【請求項１】
竪樋の挿入口を上端に有し、挿入口の下方の底部に竪樋との接続部を有し、挿入口から接続部に至る雨水排水流路が形成され、雨水を濾過するフィルターが内装される筒状の雨水排水部と、雨水排水部に連設一体化され、雨水排水部の雨水排水流路に連通し、フィルターによる濾過後の雨水が流れ、雨水排水流路から離れた端部に雨水取り出し口を有する筒状の雨水取り出し部とを備え、雨水排水部の挿入口から雨水排水流路に上側の竪樋が挿入され、接続部に下側の竪樋が接続されて上下の竪樋の間に取り付けられる雨水取り出し装置において、雨水排水部には、底部から雨水排水流路内に上方に突出し、接続部に連通する内筒部が配設されているとともに、内筒部の外形形状に対応した平面形状を有する開口が上下に貫通して形成され、雨水排水部の内周面形状に対応する外形形状を有するフィルターが、雨水排水部の内側面と内筒部の外側面との間に着脱自在に充填されて内装され、内装されたフィルターの上端は、内筒部上端および雨水取り出し部の雨水排水部との連設部上端より上位に位置していることを特徴とする雨水取り出し装置。
【請求項２】
フィルターの上端部において開口の外形は、内筒部から離れるにしたがって内筒部の外形の大きさより次第に大きくなり、フィルターの開口上端部に下方に向かう傾斜面が形成されていることを特徴とする請求項１に記載の雨水取り出し装置。
【発明の詳細な説明】
【技術分野】
【０００１】
本発明は、竪樋を流下する雨水を外部に取り出す雨水取り出し装置に関する。
【背景技術】
【０００２】
近年の水不足や地球環境保全の意識の高まりにつれて、雨水を資源として利用する考えが認識され、雨水を集水する装置が検討され、簡易な装置が提案されている。たとえば、特許文献１には雨水取り入れ装置１が記載されている。
【０００３】
特許文献１に記載された雨水取り入れ装置１は、内筒６と内筒６を包む外筒７とを備え、外筒７の上下端の接続口７ａ、７ｂに上部竪樋２ａ、下部竪樋２ｂがそれぞれ接続され、外筒７の内部には導入室１１が形成されている。内筒６は外筒７の中を上下に通り、下端が外筒７の下部接続口７ｂに連通し、上端が導入室１１の内部において開放している。内筒６の上に円錐状のかご形ストレーナ１３が配置され、内筒６の上端近くにオーバーフロー孔６ａが開口形成され、オーバーフロー孔６ａより低い位置で内筒６と外筒７との間を埋めるようにフィルター１５が設けられている。
【０００４】
このような雨水取り入れ装置１では、雨水とともに流れ込む落ち葉のような大きなゴミをストレーナ１３で捕捉し、雨水を上端開口から内筒６の中に流し込み、下部竪樋２ｂへと排水する。砂や埃などの細かなゴミを含む初期雨水は、外筒７の内壁を伝うように流れるため、内筒６には流れ込まず、外筒７の内部の導入室１１に流れ込み、フィルター１５によってゴミを除去することができる。
【特許文献１】特開２００２−１２９６０３号公報
【発明の開示】
【発明が解決しようとする課題】
【０００５】
しかしながら、特許文献１に記載された雨水取り入れ装置１では、上記の通り、落ち葉のような大きなゴミはストレーナ１３で捕捉し、初期雨水に含まれる砂や埃などの細かなゴミをフィルター１５によって除去しているため、ゴミ詰まりを防止するためのメンテナンスは、ストレーナ１３とフィルター１５との両方に対して行う必要があり、作業が面倒であるという問題がある。
【０００６】
また、フィルター１５の上端が内筒６の上端のかなり下位に位置しているため、ストレーナ１３で捕捉し切れなかった比較的大きなゴミがフィルター１５の上端に経時的に堆積し、フィルター１５の上端がオーバーフロー孔６ａの下位に位置しているため、雨水の流入量が増えても、オーバーフロー孔６ａからオーバーフローする雨水によって、そのように堆積したゴミを内筒６に流し落とすことは難しい。したがって、メンテナンス時期を比較的短く設定しておかないと、フィルター１５に詰まりが生じる恐れがある。
【０００７】
本発明は、以上の通りの事情に鑑みてなされたものであり、メンテナンス作業が容易であるとともに、フィルターにゴミが詰まりにくく、メンテナンス期間を比較的長く設定することのできる、メンテナンス性に優れた雨水取り出し装置を提供することを課題としている。
【課題を解決するための手段】
【０００８】
本発明は、上記の課題を解決するために、以下のことを特徴としている。
【０００９】
すなわち、第１の発明は、竪樋の挿入口を上端に有し、挿入口の下方の底部に竪樋との接続部を有し、挿入口から接続部に至る雨水排水流路が形成され、雨水を濾過するフィルターが内装される筒状の雨水排水部と、雨水排水部に連設一体化され、雨水排水部の雨水排水流路に連通し、フィルターによる濾過後の雨水が流れ、雨水排水流路から離れた端部に雨水取り出し口を有する筒状の雨水取り出し部とを備え、雨水排水部の挿入口から雨水排水流路に上側の竪樋が挿入され、接続部に下側の竪樋が接続されて上下の竪樋の間に取り付けられる雨水取り出し装置において、雨水排水部には、底部から雨水排水流路内に上方に突出し、接続部に連通する内筒部が配設されているとともに、内筒部の外形形状に対応した平面形状を有する開口が上下に貫通して形成され、雨水排水部の内周面形状に対応する外形形状を有するフィルターが、雨水排水部の内側面と内筒部の外側面との間に着脱自在に充填されて内装され、内装されたフィルターの上端は、内筒部上端および雨水取り出し部の雨水排水部との連設部上端より上位に位置していることを特徴としている。
【００１０】
第２の発明は、上記第１の発明において、フィルターの上端部において開口の外形は、内筒部から離れるにしたがって内筒部の外形の大きさより次第に大きくなり、フィルターの開口上端部に下方に向かう傾斜面が形成されていることを特徴としている。
【発明の効果】
【００１１】
上記第１の発明によれば、雨水排水部の底部から雨水排水流路内に上方に突出して配設され、接続部に連通する内筒部の外形形状に対応した平面形状を有する開口が、上下に貫通して形成され、雨水排水部の内周面形状に対応する外形形状を有するフィルターが、雨水排水部の内側面と内筒部の外側面との間に着脱自在に充填されて内装され、内装されたフィルターの上端が、内筒部上端および雨水取り出し部の雨水排水部との連設部上端より上位に位置しているため、落ち葉などの大きなゴミは、フィルターによって除去することができるとともに、多量の雨水が雨水排水部に流入すると、上端で除去したゴミをある程度開口を通じて内筒部から下側の竪樋に排出することができる。したがって、メンテナンスの対象はフィルターのみであり、メンテナンス作業が容易となり、一旦除去した大きなゴミを排出することができるので、フィルターにゴミが詰まりにくく、メンテナンス期間を比較的長く設定することができ、雨水取り出し装置のメンテナンス性が向上する。
【００１２】
上記第２の発明によれば、上記第１の発明の効果に加え、フィルターの開口上端部に下方に向かう傾斜面が形成されているため、除去した大きなゴミの排出が行いやすく、フィルターにおけるゴミ詰まりをより抑制することができる。
【発明を実施するための最良の形態】
【００１３】
図１、図２は、それぞれ、雨水取り出し装置の第１実施形態を示した斜視図、縦断面図である。
【００１４】
図１および図２に示した雨水取り出し装置１は、上側の竪樋２の挿入口３を上端に有し、挿入口３の下方の底部に下側の竪樋４との接続部５を有し、挿入口３から接続部５に至る雨水排水流路６が形成された円筒状の雨水排水部７と、雨水排水部７の底部側方に連設一体化され、雨水排水部７の雨水排水流路６に直交して連通する丸パイプ状の雨水取り出し部８とを備えている。
【００１５】
雨水排水部７では、竪樋２が挿入口３から雨水排水流路６の上端部付近に挿入される。挿入口３の形状は、挿入される竪樋２の外形形状に対応させることができ、図１に示したように、挿入口３は、竪樋２に丸樋が使用されているので丸穴状とされている。角樋の場合には、挿入口３の形状は角樋の外形形状に対応した多角形状とすることができる。
【００１６】
雨水排水部７が底部に有する接続部５は、竪樋４の外側からの嵌合を可能としており、丸樋である竪樋４の外形形状に対応する円筒状としている。また、竪樋４の嵌合を容易とするために、接続部５の下端は、水平ではなく、傾斜している。接続部５への竪樋４の接続は、竪樋４が内側に嵌合するようにすることもできる。また、接続部５の外形形状も竪樋４の外形形状に対応させることができ、角樋の場合には角筒状とすることができる。同様に、雨水排水部７そのものも、外形形状は、竪樋２、４の外形形状や建物の外観などに合わせて適宜なものとすることができる。
【００１７】
また、雨水排水部７には、底部から雨水排水流路６内に上方に突出し、接続部５に連通する、円筒状の内筒部９が配設されている。内筒部９は、砂や埃などの細かなゴミを含み、雨水排水部７の内側面を伝って流れ落ちる初期雨水がそのまま排出されたり、取り出されたりしないようにするなどのために設けられたものであり、その上端は、雨水取り出し部８の雨水排水部７との連設部上端より上位に位置している。内筒部９の外形形状も円筒状ばかりでなく、角筒状とすることもでき、たとえば、雨水排水部７の外形形状と相似させることができる。
【００１８】
雨水取り出し部８は、雨水排水部７の雨水排水流路６から離れた端部に雨水取り出し口１０を有している。雨水取り出し部８には、その外側に、ホース１１の上端部が嵌入または挿入などされ、雨水取り出し部８は、適所に配置された雨水タンクにホース１１を介して連通される。
【００１９】
また、図１および図２に示した雨水取り出し装置１では、フィルター１２が、雨水排水部７の内側面と内筒部９の外側面との間に充填されて内装されている。フィルター１２は、汚れたときに交換や洗浄などが可能なように着脱自在とされている。また、フィルター１２は、図３にも示したように、雨水排水部７の内側面と内筒部９の外側面との間に充填可能なように、外形形状が雨水排水部７の内周面形状に対応する、すなわち、円形形状を有するとともに、内筒部９の外形形状に対応した平面形状、すなわち、円形形状を有する開口１３が、中央部に上下に貫通して形成されている。開口１３内に内筒部９を差し込み、挿入し、フィルター１２が有する弾力性などを利用して、フィルター１２は、雨水排水部７の内側面と内筒部９の外側面との間に圧入、挿入などされて充填されて内装される。内装された状態におけるフィルター１２の上端は、内筒部９の上端より上位に位置し、したがって、雨水取り出し部８の雨水排水部７との連設部上端より上位に位置してもいる。
【００２０】
このような雨水取り出し装置１は、図１および図２に示したように、竪樋２の下端部が雨水排水部７の上端の挿入口３を通じて雨水排水流路６に挿入され、竪樋４の上端部が接続部５に接続されて、上下の竪樋２、４の間に取り付けられる。このとき、上側の竪樋２の下端部は、雨水排水流路６の上端部付近に配置される。
【００２１】
そして、図１および図２に示した雨水取り出し装置１では、初期雨水とともに落ち葉などの大きなゴミが上側の竪樋２から雨水排水部７に流入するが、初期雨水は、少量であるため、雨水排水部７の内側面を伝って流下し、このため、落ち葉などの大きなゴミは、フィルター１２の上端において捕捉され、除去される。フィルター１２に浸入した雨水は、その中に含まれる砂や埃などの小さなゴミが濾過により除去され、雨水排水部７の底部に溜まったり、一部は雨水取り出し部８へと向かったりする。
【００２２】
雨水の流入量が多くなるにしたがって、フィルター１２の上端で除去される落ち葉などの大きなゴミの量は多くなり、大きなゴミはフィルター１２の上端に堆積していくが、フィルター１２により濾過された雨水は雨水取り出し部８に向かい、ホース１１を通じて雨水タンクに取り出される。さらに、本降りなどによって雨水の流入量が多くなると、堆積したゴミは、流入する多量の雨水によって、ある程度を開口１３を通じて内筒部９から下側の竪樋４に排出される。
【００２３】
このように、雨水取り出し装置１におけるメンテナンス対象はフィルター１２のみであり、したがって、メンテナンス作業は容易であり、また、フィルター１２の上端に堆積した落ち葉などの大きなゴミを多量の雨水とともにある程度開口１３を通じて内筒部９から下側の竪樋４に排出することができるので、フィルター１２にゴミが詰まりにくく、メンテナンス期間を比較的長く設定することができ、雨水取り出し装置１はメンテナンス性に優れている。
【００２４】
さらに、フィルター１２の上端が、内筒部９の上端より上位に位置していることによって、フィルター１２をメンテナンスする際に、上側の竪樋２を挿入口３から取り外し、雨水排水部７の雨水排水流路６内に手を入れると、フィルター１２の上端部に容易に手が届き、開口１３の上端部周辺を掴んで容易にフィルター１２を雨水排水部７から取り出すことができる。フィルター１２を装着する場合も同様であり、フィルター１２の上端が内筒部９の上端より下位に位置すると、装着作業が難しくなるが、そのような恐れはない。雨水取り出し装置１では、このような点も、メンテナンス作業の容易化に寄与している。
【００２５】
図４は、本発明の雨水取り出し装置の第２実施形態を示した断面図である。
【００２６】
図４に示した雨水取り出し装置１において、図１および２に示した雨水取り出し装置１と共通する部分には同一の符号を付し、その説明を省略する。
【００２７】
図４に示した雨水取り出し装置１では、フィルター１２の上端部の構成が、図１および２に示した雨水取り出し装置１と異なっている。
【００２８】
すなわち、図４に示した雨水取り出し装置１では、フィルター１２の上端部において開口１３の外形が、内筒部９から離れるにしたがって内筒部９の外形の大きさより次第に大きくなり、フィルター１２の開口１３の上端部に下方に向かう傾斜面１４が形成されている。図５にフィルター１２のみを示したが、傾斜面１４は、フィルター１２を上下に貫通する開口１３の上端部に形成され、図４に示したように、傾斜面１４は、フィルター１２が内装された状態では内筒部９の上端より上位に配置される。もちろん、傾斜面１４は、内筒部９の上端直上からフィルター１２の上端まで形成することが可能である。
【００２９】
このような傾斜面１４の形成により、図４に示した雨水取り出し装置１では、フィルター１２の上端で除去した落ち葉などの大きなゴミが、多量に流れる雨水によって開口１３の下方に流れ落ちやすくなり、ゴミの除去がより容易となってフィルター１２におけるゴミ詰まりをより抑制することができる。メンテナンス作業の容易化が推進され、メンテナンス期間をより長く設定することが可能となり、雨水取り出し装置１は、メンテナンス性が向上している。
【図面の簡単な説明】
【００３０】
【図１】本発明の雨水取り出し装置の第１実施形態を示した斜視図である。
【図２】図１に示した雨水取り出し装置の縦断面図である。
【図３】図１に示した雨水取り出し装置におけるフィルターを示した斜視図である。
【図４】本発明の雨水取り出し装置の第２実施形態を示した断面図である。
【図５】図４に示した雨水取り出し装置におけるフィルターを示した斜視図である。
【符号の説明】
【００３１】
１  雨水取り出し装置
２、４  竪樋
３  挿入口
５  接続部
６  雨水排水流路
７  雨水排水部
８  雨水取り出し部
９  内筒部
１０  雨水取り出し口
１２  フィルター
１３  開口
１４  傾斜面
【図１】
2009127369.tif 000003
【図２】
2009127369.tif 000004
【図３】
2009127369.tif 000005
【図４】
2009127369.tif 000006
【図５】
2009127369.tif 000007